【手続補正書】
【提出日】平成23年8月26日(2011.8.26)
【手続補正１】
【補正対象書類名】特許請求の範囲
【補正対象項目名】全文
【補正方法】変更
【補正の内容】
【特許請求の範囲】
【請求項１】
ネットワークに接続される特色印刷の機能を有する画像形成装置において、
特色画像データ及び画像データを生成する手段と、
前記特色画像データと前記画像データとを用いて前記特色画像データのＣＭＹＫ版の画素値と前記画像データの画素値の差分情報を抽出する差分抽出手段と、
前記特色画像データと前記差分情報とを記憶する記憶手段と、
前記ネットワークを介して他の画像形成装置で印刷する際に前記他の画像形成装置が特色印刷の機能を有するか否かを判断する判断手段と、
前記判断手段により前記他の画像形成装置が特色印刷の機能を有さないと判断された場合に、前記記憶手段に記憶されている前記特色画像データと前記差分情報を利用して画像データを復元する画像データ復元手段と、
前記他の画像形成装置に前記復元された画像データを送信する画像データ送信手段と、
を有することを特徴とする画像形成装置。
【請求項２】
前記差分抽出手段が抽出する差分情報には、特色トナーの種類に関する情報を含み、
前記画像データ復元手段は、さらに前記差分情報から特色トナーの種類に関する情報を抽出して特色トナー情報を生成し、
前記画像データ送信手段は、前記復元された画像データと前記特色トナー情報を前記他の画像形成装置に送信する、
ことを特徴とする請求項１に記載の画像形成装置。
【請求項３】
前記画像データ送信手段は、前記判断手段により前記他の画像形成装置が特色印刷の機能を有すると判断された場合に、前記特色画像データのみを前記他の画像形成装置に送信することを特徴とする請求項１又は２に記載の画像形成装置。
【請求項４】
特色印刷の機能を有する画像形成装置にネットワークを介して接続される、特色印刷の機能を有さない画像形成装置であって、
前記特色印刷の機能を有する画像形成装置で生成された特色画像データと画像データ及び該特色画像データのＣＭＹＫ版の画素値と該画像データの画素値の差分を示す差分情報及び該差分情報から抽出される特色トナーの種類に関する情報である特色トナー情報のうち記憶された、前記差分情報及び前記特色画像データから復元された画像データ及び前記特色トナー情報を受信する受信手段と、
前記受信手段により受信した前記特色トナー情報で特定される特色トナーの種類に対応して前記画像データに対して行う画像処理の内容を決定する決定手段と、
を有することを特徴とする画像形成装置。
【請求項５】
ネットワークに接続される特色印刷の機能を有する画像形成装置において、
画像データ及び該画像データにおいて特色トナーを用いて印字する画素を示す特色トナー印字位置情報及び該特色トナーの種類に関する情報である特色トナー情報を生成する手段と、
前記ネットワークを介して接続される他の画像形成装置が特色印刷の機能を有するか否かを判断する判断手段と、
前記判断手段により前記他の画像形成装置が特色印刷の機能を有さないと判断された場合に、前記画像データ及び前記特色トナー情報を送信し前記特色トナー印字位置情報は送信しない画像データ送信手段と、
を有することを特徴とする画像形成装置。
【請求項６】
前記画像データ送信手段は、前記判断手段により前記他の画像形成装置が特色印刷の機能を有すると判断された場合に、前記画像データおよび特色トナー印字位置情報を前記他の画像形成装置に送信することを特徴とする請求項５に記載の画像形成装置。
【請求項７】
特色印刷の機能を有する画像形成装置にネットワークを介して接続される、特色印刷の機能を有さない画像形成装置であって、
前記特色印刷の機能を有する画像形成装置で生成された画像データ、該画像データにおいて特色トナーを用いて印字する画素を示す特色トナー印字情報、及び特色トナーの種類に関する情報である特色トナー情報のうち、前記画像データ及び前記特色トナー情報を受信する受信手段と、
前記受信手段により受信した前記特色トナー情報で特定される特色トナーの種類に対応して前記画像データに対して行う画像処理の内容を決定する決定手段と、
を有することを特徴とする画像形成装置。
【請求項８】
請求項１乃至７のいずれか１項に記載の画像形成装置を少なくとも１つ備えたことを特徴とするネットワークプリンティングシステム。
【請求項９】
ネットワークに接続される特色印刷の機能を有する画像形成装置の制御方法において、
特色画像データ及び画像データを生成するステップと、
前記特色画像データと前記画像データとを用いて前記特色画像データのＣＭＹＫ版の画素値と前記画像データの画素値の差分情報を抽出する差分抽出ステップと、
前記特色画像データと前記差分情報とを記憶する記憶ステップと、
前記ネットワークを介して他の画像形成装置で印刷する際に前記他の画像形成装置が特色印刷の機能を有するか否かを判断する判断ステップと、
前記判断ステップにより前記他の画像形成装置が特色印刷の機能を有さないと判断された場合に、前記記憶ステップに記憶されている前記特色画像データと前記差分情報を利用して画像データを復元する画像データ復元ステップと、
前記他の画像形成装置に前記復元された画像データを送信する画像データ送信ステップと、
を含むことを特徴とする画像形成装置の制御方法。
【請求項１０】
前記差分抽出ステップが抽出する差分情報には、特色トナーの種類に関する情報を含み、
前記画像データ復元ステップは、さらに前記差分情報から特色トナーの種類に関する情報を抽出して特色トナー情報を生成し、
前記画像データ送信ステップは、前記復元された画像データと前記特色トナー情報を前記他の画像形成装置に送信する、
ことを特徴とする請求項９に記載の画像形成装置の制御方法。
【請求項１１】
前記画像データ送信ステップは、前記判断ステップにより前記他の画像形成装置が特色印刷の機能を有すると判断された場合に、前記特色画像データのみを前記他の画像形成装置に送信することを特徴とする請求項９又は１０に記載の画像形成装置の制御方法。
【請求項１２】
特色印刷の機能を有する画像形成装置にネットワークを介して接続され、特色印刷の機能を有さない画像形成装置の制御方法において、
前記特色印刷の機能を有する画像形成装置で生成された特色画像データと画像データ及び該特色画像データのＣＭＹＫ版の画素値と該画像データの画素値の差分を示す差分情報及び該差分情報から抽出される特色トナーの種類に関する情報である特色トナー情報のうち記憶された、前記差分情報及び前記特色画像データから復元された画像データ及び前記特色トナー情報を受信する受信ステップと、
前記受信ステップにより受信した前記特色トナー情報で特定される特色トナーの種類に対応して前記画像データに対して行う画像処理の内容を決定する決定ステップと、
を含むことを特徴とする画像形成装置の制御方法。
【請求項１３】
ネットワークに接続される特色印刷の機能を有する画像形成装置の制御方法において、
画像データ及び該画像データにおいて特色トナーを用いて印字する画素を示す特色トナー印字位置情報及び該特色トナーの種類に関する情報である特色トナー情報を生成するステップと、
前記ネットワークを介して接続される他の画像形成装置が特色印刷の機能を有するか否かを判断する判断ステップと、
前記判断ステップにより前記他の画像形成装置が特色印刷の機能を有さないと判断された場合に、前記画像データ及び前記特色トナー情報を送信し前記特色トナー印字位置情報は送信しない画像データ送信ステップと、
を有することを特徴とする画像形成装置の制御方法。
【請求項１４】
前記画像データ送信ステップは、前記判断ステップにより前記他の画像形成装置が特色印刷の機能を有すると判断された場合に、前記画像データおよび特色トナー印字位置情報を前記他の画像形成装置に送信することを特徴とする請求項１３に記載の画像形成装置の制御方法。
【請求項１５】
特色印刷の機能を有する画像形成装置にネットワークを介して接続される画像形成装置の制御方法であって、
前記特色印刷の機能を有する画像形成装置で生成された画像データと該画像データにおいて特色トナーを用いて印字する画素を示す特色トナー印字情報及び特色トナーの種類に関する情報である特色トナー情報のうち、画像データ及び特色トナー情報を受信する受信ステップと、
前記受信ステップにより受信した前記特色トナー情報で特定される特色トナーの種類に対応して前記画像データに対して行う画像処理の内容を決定する決定ステップと、
を含むことを特徴とする画像形成装置の制御方法。
【請求項１６】
コンピュータに、請求項９乃至１５のいずれか１項に記載の方法を実行させるためのプログラム。
【請求項１７】
コンピュータに、請求項９乃至１５のいずれか１項に記載の方法を実行させるためのプログラムを格納した、コンピュータが読み取り可能な記録媒体。